(57)【要約】【課題】  複数のプロジェクタ等の画像表示装置があるときの、表示先の画像表示装置の選択を容易とし、また誤った画像表示装置への表示を防止する。【解決手段】  それぞれの画像表示装置に通信用識別子とは別に、利用者が視覚的に識別しやすいユーザ用識別子を付与し、利用者は各画像表示装置が表示するユーザ用識別子に関する映像を確認しながら画像を表示すべき画像表示装置を選択する。またユーザ用識別子が重複しないように、画像表示装置同士で重複を検出する手段を備える。【選択図】  図２
2005099351.tif 000002
【特許請求の範囲】
【請求項１】
プレゼンテーションに用いられる、ネットワーク上の他の通信装置から表示すべき画像情報を受信して表示する画像表示装置であって、
前記受信した画像情報を表示する画像表示手段と、
前記画像表示手段に表示可能な前記画像表示装置を識別するためのユーザ用識別子を前記画像表示手段に表示した場合に、他の画像表示装置が表示する他のユーザ用識別子と視覚的に識別可能な前記ユーザ用識別子を設定するユーザ用識別子設定手段と、
前記ユーザ用識別子設定手段で設定したユーザ用識別子を表す、前記画像表示手段に表示可能な識別画像を生成する画像生成手段と、
前記画像生成手段が生成した識別画像を、前記画像表示手段に表示させる識別画像表示手段と
を備えることを特徴とする画像表示装置。
【請求項２】
前記ユーザ用識別子は、色彩情報、図形情報、単語のうちの１つ、またはその組み合わせからなる識別子であり、
該ユーザ用識別子に基づいて前記画像生成手段により生成され、前記画像表示手段により表示される識別画像は、それぞれ色彩、図形、文字、またはその組み合わせであることを特徴とする請求項１に記載の画像表示装置。
【請求項３】
前記ユーザ用識別子設定手段は、前記画像表示装置が起動するごとに新たにユーザ用識別子を設定することを特徴とする請求項１に記載の画像表示装置。
【請求項４】
前記ユーザ用識別子設定手段が設定したユーザ用識別子を含む識別子情報を前記ネットワーク上に接続された通信装置に送信する識別子情報送信手段と、
他の画像表示装置が送信した前記識別子情報を受信する識別子情報受信手段と、
前記識別子情報受信手段が受信した他の画像表示装置が送信した識別子情報に含まれるユーザ用識別子と、前記ユーザ用識別子設定手段が設定したユーザ用識別子とが重複しているかどうかを検出するユーザ用識別子重複検出手段をさらに備え、
前記ユーザ用識別子重複検出手段が、他の画像表示装置のユーザ用識別子と重複していると判断したときは、前記ユーザ用識別子設定手段に対し新たなユーザ用識別子を再設定するように指示することを特徴とする、請求項１に記載の画像表示装置。
【請求項５】
前記ユーザ用識別子設定手段が設定したユーザ用識別子が、他の画像表示装置と重複していること通知する重複通知を、前記ネットワーク上に接続された他の通信装置から受信すると、前記ユーザ用識別子設定手段に対し新たなユーザ用識別子を再設定するように指示する重複情報受信手段をさらに備えたことを特徴とする、請求項１に記載の画像表示装置。
【請求項６】
前記ユーザ用識別子が未設定であることを示す情報を含む識別子情報を前記ネットワーク上に接続された他の通信装置に送信する識別子情報送信手段と、
前記ネットワーク上に接続された他の通信装置から、あるユーザ用識別子に設定する旨の要求を含む識別子設定要求を受信する識別子設定要求受信手段とをさらに備え、
前記識別子設定要求受信手段は、受信した識別子設定要求に含まれるユーザ用識別子を前記画像表示装置のユーザ用識別子とするように、前記ユーザ用識別子設定手段に対して指示することを特徴とする請求項１に記載の画像表示装置。
【請求項７】
ネットワーク上に接続された画像送信装置と、該画像送信装置から表示すべき画像情報を受信して表示する画像表示装置とからなる、プレゼンテーションに用いられる画像表示システムであって、
前記画像表示装置は、
前記受信した画像情報を表示する画像表示手段と、
前記画像表示手段に表示可能な前記画像表示装置を識別するためのユーザ用識別子を前記画像表示手段に表示した場合に、他の画像表示装置が表示する他のユーザ用識別子と視覚的に識別可能な前記ユーザ用識別子を設定するユーザ用識別子設定手段と、
前記ユーザ用識別子設定手段が設定したユーザ用識別子を含む識別子情報を、少なくとも前記ネットワーク上に接続された画像送信装置に送信する識別子情報送信手段と、
前記ユーザ用識別子設定手段で設定したユーザ用識別子を表す、前記画像表示手段に表示可能な識別画像を生成する画像生成手段と、
前記画像生成手段で生成した識別画像を、前記画像表示手段に表示させる識別画像表示手段と
を備え
前記画像送信装置は、
前記画像表示装置が送信した識別子情報を受信する識別子情報受信手段と、
前記識別子情報受信手段により受信した識別子情報に含まれるユーザ用識別子を表現した識別と、該識別子情報を送信した画像表示装置を示す識別子とを関連付けて表示する表示手段と、
前記表示手段の表示から、プレゼンテーションで表示すべき画像情報の送信先となる前記画像表示装置を選択入力する入力手段と
を備え、
前記入力手段は、前記表示手段が表示したユーザ用識別子を表現した識別と、前記識別画像表示手段が前記画像表示手段に表示させた識別画像との認識とが同一のものを選択させることにより、前記送信先となる画像表示装置を選択させることを特徴とする画像表示システム。
【請求項８】
前記ユーザ用識別子は、色彩情報、図形情報、単語のうちの１つ、またはその組み合わせからなる識別子であり、
該ユーザ用識別子に基づいて前記画像生成手段により生成され、前記画像表示手段により表示される識別画像は、それぞれ色彩、図形、文字、またはその組み合わせであることを特徴とする請求項７に記載の画像表示システム。
【請求項９】
前記ユーザ用識別子設定手段は、前記画像表示装置が起動するごとに新たにユーザ用識別子を設定することを特徴とする請求項７に記載の画像表示システム。
【請求項１０】
前記画像表示装置は、
他の画像表示装置が送信した前記識別子情報を受信する識別子情報受信手段と、
前記識別子情報受信手段が受信した他の画像表示装置が送信した識別子情報に含まれるユーザ用識別子と、前記ユーザ用識別子設定手段が設定したユーザ用識別子とが重複しているかどうかを検出するユーザ用識別子重複検出手段をさらに備え、
前記ユーザ用識別子重複検出手段が、他の画像表示装置のユーザ用識別子と重複していると判断したときは、前記ユーザ用識別子設定手段に対し新たなユーザ用識別子を再設定するように指示することを特徴とする、請求項７に記載の画像表示システム。
【請求項１１】
前記画像表示装置は、
前記ネットワーク上に接続された他の通信装置から、前記ユーザ用識別子設定手段が設定したユーザ用識別子が他の画像表示装置と重複していること通知する重複通知を受信すると、前記ユーザ用識別子設定手段に対し新たなユーザ用識別子を再設定するように指示する重複情報受信手段をさらに備えたことを特徴とする、請求項７に記載の画像表示システム。
【請求項１２】
前記画像送信装置は、
前記画像表示装置に割り当てるべきユーザ用識別子を生成するユーザ用識別子割当手段と、
前記画像表示装置に対し、該画像表示装置のユーザ用識別子をあるユーザ用識別子とするように要求する旨の識別子設定要求を送信する識別子設定要求送信手段と、
前記画像表示装置は、
前記ネットワーク上に接続された前記画像送信装置から、前記識別子設定要求を受信する識別子設定要求受信手段と
をさらに備え、
前記ユーザ用識別子設定手段により前記ユーザ用識別子が設定される前に、
前記識別子情報送信手段は、前記ユーザ用識別子が未設定であることを示す情報を含む識別子情報を前記ネットワーク上に接続された前記画像送信装置に送信し、
前記識別子受信手段は、ユーザ用識別子が未設定である識別子情報を受信すると、
前記識別子要求送信手段は、前記ユーザ用識別子割当手段により割り当てられたユーザ用識別子を含む前記識別子設定要求を送信し、
前記識別子設定要求受信手段は、受信した識別子設定要求に含まれるユーザ用識別子を前記画像表示装置のユーザ用識別子とするように、前記ユーザ用識別子設定手段に対して指示することを特徴とする請求項７に記載の画像表示システム。
【請求項１３】
ネットワーク上に接続された画像送信装置と、該画像送信装置から表示すべき画像情報を受信して表示する画像表示装置とからなる、プレゼンテーションに用いられる画像表示システムの画像表示装置選択方法であって、
前記画像表示装置は、
表示可能な前記画像表示装置を識別するためのユーザ用識別子を表示した場合に、他の画像表示装置が表示する他のユーザ用識別子と視覚的に識別可能な前記ユーザ用識別子を設定し、
前記設定したユーザ用識別子を含む識別子情報を、少なくとも前記ネットワーク上に接続された画像送信装置に送信し、
前記設定したユーザ用識別子を表す識別画像を生成し、
前記生成した識別画像を表示させ、
前記画像送信装置は、
前記画像表示装置が送信した識別子情報を受信し、
前記受信した識別子情報に含まれるユーザ用識別子を表現した識別と、該識別子情報を送信した画像表示装置を示す識別子とを関連付けて表示し、
前記表示から、プレゼンテーションで表示すべき画像情報の送信先となる前記画像表示装置を、前記ユーザ用識別子を表現した識別と、前記表示した識別画像との認識とが同一のものを選択させることにより、前記送信先となる画像表示装置を選択させることを特徴とする画像表示装置選択方法。
【請求項１４】
前記ユーザ用識別子は、色彩情報、図形情報、単語のうちの１つ、またはその組み合わせからなる識別子であり、
該ユーザ用識別子に基づいて前記画像生成手段により生成され、前記画像表示手段により表示される識別画像は、それぞれ色彩、図形、文字、またはその組み合わせであることを特徴とする請求項１３に記載の画像表示装置選択方法。
【請求項１５】
プレゼンテーションに用いられる、ネットワーク上の他の通信装置から表示すべき画像情報を受信して表示する画像表示装置のプログラムであって、
前記受信した画像情報を表示するステップと、
前記画像表示装置を識別するためのユーザ用識別子を表示した場合に、他の画像表示装置が表示する他のユーザ用識別子と視覚的に識別可能な前記ユーザ用識別子を設定するス
テップと、
前記設定したユーザ用識別子を表す、表示可能な識別画像を生成するステップと、
前記識別画像を表示するステップと
を備えることを特徴とする画像表示装置のプログラム。
【請求項１６】
前記ユーザ用識別子は、色彩情報、図形情報、単語のうちの１つ、またはその組み合わせからなる識別子であり、
該ユーザ用識別子に基づいて表示される識別画像は、それぞれ色彩、図形、文字、またはその組み合わせであることを特徴とする請求項１５に記載の画像表示装置のプログラム。
【請求項１７】
前記ユーザ用識別子は、前記画像表示装置が起動するごとに新たに設定されることを特徴とする請求項１５に記載の画像表示装置のプログラム。
【請求項１８】
設定したユーザ用識別子を含む識別子情報を前記ネットワーク上に接続された通信装置に送信するステップと、
他の画像表示装置が送信した前記識別子情報を受信するステップと、
前記受信した識別子情報に含まれるユーザ用識別子と、前記設定したユーザ用識別子とが重複しているかどうかを検出するステップをさらに有し、
前記検出するステップが他の画像表示装置のユーザ用識別子と重複していると判断したときは、新たなユーザ用識別子を再設定することを特徴とする請求項１５に記載の画像表示装置のプログラム。
【請求項１９】
設定したユーザ用識別子が、他の画像表示装置と重複していること通知する重複通知を、前記ネットワーク上に接続された他の通信装置から受信するステップをさらに有し、
当該ステップで前記重複通知が受信されると、新たなユーザ用識別子を再設定することを特徴とする、請求項１５に記載の画像表示装置のプログラム。
【請求項２０】
前記ユーザ用識別子が未設定であることを示す情報を含む識別子情報を前記ネットワーク上に接続された他の通信装置に送信するステップと、
前記ネットワーク上に接続された他の通信装置から、あるユーザ用識別子に設定する旨の要求を含む識別子設定要求を受信するステップとをさらに有し、
受信した識別子設定要求に含まれるユーザ用識別子を前記画像表示装置のユーザ用識別子とすることを特徴とする請求項１５に記載の画像表示装置のプログラム。
【発明の詳細な説明】
【技術分野】
【０００１】
本発明は、画像を投影するプロジェクタまたはテレビジョンなどの表示装置に画像を表示する画像表示装置、画像送信システム、画像表示装置選択方法及び画像表示プログラムに関する。
【背景技術】
【０００２】
近年、プロジェクタなどの映像を投影する機器の普及により、発表者自身がノートPCなどを持ちよるなどして電子データを投影し、プレゼンテーションすることが多くなっている。さらにプロジェクタ自体は低価格化、小型化が進み大きな会議場のみならず少人数の会議において活用される機会も増加している。現在広く使われているプロジェクタ、及び大画面テレビジョンなどは画像を送り出すインテリジェントなPC(Personal Computer)やPDA(Personal Digital Assistance)をRGBケーブルなどの有線で接続したものである。
【０００３】
有線で接続する場合、プロジェクタなどはスクリーンに投影する必要があるため出席者から見えやすい場所を考慮するとプロジェクタの設置場所が限られる。そのためプロジェクタを各自が持ち寄ったノートPCで共有しようとすると、都度つなぎ替えが必要になるなど設定のための移動が必要となる。この不便さを改善するため、最近では無線を利用してPCと接続を行うプロジェクタが販売されるようになった。
【０００４】
しかしながら無線技術を用いる場合には有線で接続したときのような物理的に投影先のプロジェクタを選択することができず、複数のプロジェクタがある場合には意図しないプロジェクタへの投影がなされてしまう危険性がある。
【０００５】
このため、たとえば特許文献１に開示された情報出力装置では、自己の識別情報をスクリーンに投影し、画像を送信するPCから表示させたい画像情報と共にこの識別情報を送信することで、自装置に対して送信された画像情報かどうかを判断しているものもある。
【特許文献１】特開２００２−２１８４２０公報
【発明の開示】
【発明が解決しようとする課題】
【０００６】
予め機器を特定するために与えられた文字列からなる画像に表示された個々のプロジェクタの識別情報を入力するもの、または予めプロジェクタごとにユニークになるように付与されたMACアドレスのような数字の羅列からなる機器識別情報を利用者に入力させる方法では、入力ミスを誘発しやすく利用者の負担が大きい。これは大量生産される個々のプロジェクタを出荷段階で予めユニークに識別できるためには、その識別情報は総じて桁数が多くなりまた利用者にとってほとんど意味をなさない文字の羅列となる場合が多いためである。
【０００７】
本発明は複数のプロジェクタなどの画像表示装置があるときの、意図しない画像表示装置へ出力してしまうことを防止し、かつ利用者が画像を表示させたい所望の画像表示装置を視覚的に把握できるようにした画像表示装置、画像表示システムを提供することを目的とする。
【課題を解決するための手段】
【０００８】
本発明に係る画像表示装置とすれば、
「プレゼンテーションに用いられる、ネットワーク上の他の通信装置から表示すべき画像情報を受信して表示する画像表示装置であって、前記受信した画像情報を表示する画像表示手段と、前記画像表示手段に表示可能な前記画像表示装置を識別するためのユーザ用識別子を前記画像表示手段に表示した場合に、他の画像表示装置が表示する他のユーザ用識別子と視覚的に識別可能な前記ユーザ用識別子を設定するユーザ用識別子設定手段と、前記ユーザ用識別子設定手段で設定したユーザ用識別子を表す、前記画像表示手段に表示可能な識別画像を生成する画像生成手段と、前記画像生成手段が生成した識別画像を、前記画像表示手段に表示させる識別画面表示手段とを備えることを特徴とする画像表示装置」が提供される。
【０００９】
また本発明に係る画像表示システムとすれば、
「ネットワーク上に接続された画像送信装置と、該画像送信装置から表示すべき画像情報を受信して表示する画像表示装置とからなる、プレゼンテーションに用いられる画像表示システムであって、前記画像表示装置は、前記受信した画像情報を表示する画像表示手段と、前記画像表示手段に表示可能な前記画像表示装置を識別するためのユーザ用識別子を前記画像表示手段に表示した場合に、他の画像表示装置が表示する他のユーザ用識別子と視覚的に識別可能な前記ユーザ用識別子を設定するユーザ用識別子設定手段と、前記ユーザ用識別子設定手段が設定したユーザ用識別子を含む識別子情報を、少なくとも前記ネットワーク上に接続された画像送信装置に送信する識別子情報送信手段と、前記ユーザ用識別子設定手段で設定したユーザ用識別子を表す、前記画像表示手段に表示するための識別画像を生成する画像生成手段と、前記画像生成手段で生成した識別画像を、前記画像表示手段に表示させる識別画像表示手段とを備え、前記画像送信装置は、前記画像表示装置が送信した識別子情報を受信する識別子情報受信手段と、前記識別子情報受信手段により受信した識別子情報に含まれるユーザ用識別子を表現した識別と、該識別子情報を送信した画像表示装置を示す識別子とを関連付けて表示する表示手段と、前記表示手段の表示から、プレゼンテーションで表示すべき画像情報の送信先となる前記画像表示装置を選択入力する入力手段とを備え、前記入力手段は、前記表示手段が表示したユーザ用識別子を表現した識別と、前記識別画像表示手段が前記画像表示手段に表示させた識別画像との認識とが同一のものを選択させることにより、前記送信先となる画像表示装置を選択させることを特徴とする画像表示システム」が提供される。
【００１０】
上記構成におけるユーザ用識別子を、各通信装置の識別とは別に目視によって視覚的に連想可能な識別画像と結び付け、該ユーザ用識別子を持つ該各画像表示装置で該識別画像を表示することにより、各画像表示装置の選択指示を容易とする。
【００１１】
さらに上記画像表示システムを実現する画像表示装置選択方法と、上記画像表示装置を実現するプログラムが提供される。
【発明の効果】
【００１２】
本発明の効果は、表示可能なプロジェクタなどの画像表示装置が複数あったときにも、利用者が画像を表示させたい画像表示装置を視覚的に選択指示することが可能となり、さらに出力先を間違って選択してしまうことによって意図しない画像表示装置へ画像を出力してしまうといった誤りを防止できる画像表示装置及び画像表示システムが提供される。
【発明を実施するための最良の形態】
【００１３】
（第１の実施形態）
図１に本実施形態に係る画像表示システムの一例を示す。
図１には、画像表示装置１０１、画像送信装置１０２及びネットワーク１０３が示されている。画像表示装置１０１はたとえばプロジェクタや大画面テレビジョンのような多人数から画像情報を閲覧可能に表示する装置である。画像送信装置１０２は、たとえばPC、PD
Aといった利用者の操作により画像表示装置１０１に表示させる画像情報を送信する機能を有する。通常、画像表示装置１０１は利用者である発表者からは離れたところに設置されているため画像表示装置１０１を直接操作することはほとんどなく、利用者は主に画像送信装置１０２を操作しながらプレゼンテーションを行う。ネットワーク１０３には、画像表示装置１０１と画像送信装置１０２が接続されており両者の間の通信ができるようになっている。本実施形態ではネットワーク１０３はIEEE802.11b規格に準拠した無線LANや、Bluetooth(TM)通信規格に準拠したネットワークを想定している。ネットワーク１０３は、少なくとも画像送信装置１０２が複数の画像表示装置１０１と通信可能に接続するものである限り、上記した通信規格以外の通信方式に従うものであっても構わない。
【００１４】
図２に本実施形態に係る画像表示装置のブロック構成図の一例を示す。
図２には、データ送受信部２０１、画像受信部２０２、画像表示部２０３、通信用識別子設定部２０４、ユーザ用識別子設定部２０５、ユーザ用識別情報画像生成部２０６及びユーザ用識別子重複検出部２０７が示されている。
【００１５】
データ送受信部２０１は、ネットワーク１０３を介して他の通信機器とデータを送受信する機能を有する。
【００１６】
画像受信部２０２は、データ送受信部２０１を介して他の通信装置から受信した画像情報について受信する機能を有する。受信した画像情報は表示しやすい形式に加工する、あるいは編集するといった機能備えていても良い。受信した画像情報は、次の画像表示部２０３に受け渡す。
【００１７】
画像表示部２０３は、画像受信部２０２から受け渡された画像情報を表示する機能を有する。たとえばプロジェクタであれば画像を投影する光学系に相当し、大画面テレビジョンであればブラウン管や液晶ディスプレイ、プラズマディスプレイといった表示部に相当する。画像表示部２０３は受信した画像情報に重ねて、あるいは別々に各種の情報表示も併せて行う。
【００１８】
通信識別子設定部２０４は、ネットワーク１０３を介して他の通信装置とデータを送受信するときに必要となる、自装置を識別するための識別子を設定する機能を有する。たとえば、通信プロトコルにTCP/IPを利用する場合には、IPアドレスを通信用識別子とすることができる。あるいはデータリンク層で直接通信するような場合には、通信用識別子としてMACアドレスを利用することもできる。通信識別子設定部２０４が行う識別子の設定は、利用者が手動で設定するようにしても良いし、IPアドレスの設定に利用されるDHCP(Dynamic Host Configuration Protocol)を用いて自動的に設定されるようになっていても良い。またAuto-IPのようにあるアドレス範囲内でアドレスを自動的に選択して設定するようになっていても良い。
【００１９】
ユーザ用識別子設定部２０５は、通信用識別子とは別に利用者が各画像表示装置１０１を識別しやすいように設けたユーザ用識別子を設定する機能を有する。たとえば画像表示装置１０１が起動する際に、新たにユーザ用識別子を生成して自身のユーザ用識別子として設定する。
【００２０】
設定後このユーザ用識別子はデータ送受信部２０１を介して、ネットワーク１０３上の他の通信装置に対しても送信される。送信方法はたとえば定期的にネットワーク１０３上にブロードキャストするようにしても良いし、他の通信装置からのユーザ用識別子の通知要求があったときに送信するようにしても良い。
【００２１】
利用者が各画像表示装置１０１を識別しやすいように設けたユーザ用識別子とは、たと
えば色彩、１〜２文字程度の見やすく拡大した文字列/数字列（たとえば「Ａ」、「Ｂ」、「１」、「２」など）、図形、意味のある文字列、意味のある画像といったものが考えられる。色彩をユーザ用識別子とする場合には視覚的に互いに識別が可能な色情報、たとえば“赤”、“青”、“黄”といった直感的に認識できる色彩がふさわしい。図形であれば、丸、四角、三角及びその組み合わせといった識別容易な図形にすべきである。意味のある文字列や画像を採用する場合にも、同一の文字列や画像を見たときに各利用者が連想するものの認識に違いが生じないような意味の明らかなものとした方が良い（たとえば「さかな」、「ぞう」など）。上記のようなユーザ用識別子とすることは識別子ごとの各利用者の認識を容易とし、画像表示装置１０２上での画像表示装置１０１の選択作業を容易にする。これらのユーザ用識別子は利用者が紛らわしさを感じない程度に組み合わせて用いても良い。
【００２２】
ユーザ用識別情報画像生成部２０６は、ユーザ用識別子設定部２０５から自装置のユーザ用識別子として設定したユーザ用識別子を受け取り、このユーザ用識別子を画像表示部２０３上に表示したときに利用者が認識しやすくなるようなユーザ識別情報を生成する機能を有する。このときのユーザ識別情報は画像表示部２０３に表示可能な画像である。生成した画像は画像表示部２０３に送られる。
【００２３】
ユーザ用識別子設定部２０５から送られてきたユーザ用識別子が色彩に関するものならば、ユーザ用識別情報画像生成部２０６はたとえばその色彩に見合う色の領域を持つ画像を生成する。図形や文字列、意味のある画像についても同様に、利用者が見たときにおよそそれを認識するであろう画像を生成する。
【００２４】
ユーザ用識別子重複検出部２０７は、データ送受信部２０１を介して他の画像表示装置１０１が送信したユーザ用識別子を受信したとき、または自身が発したユーザ用識別子の通知要求に対する応答（重複通知）を受信したとき、あるいは他の通信装置から直接重複通知を受信したときの、このユーザ用識別子とユーザ用識別子設定部２０５が設定した自身のユーザ用識別子との重複を検出する機能を有する。ユーザ用識別子が他の画像表示装置１０１と重複していることを検出すると、この重複を解消するようにユーザ用識別子設定部２０５に対して、自身のユーザ用識別子を再設定するように指示する。あるいは再設定を要求するか否かを最初に判断するようにしても良い。この判断は、たとえば重複する他の画像表示装置１０１の通信用識別子と自身の通信用識別子との比較を行い、より小さい方の画像表示装置のみがユーザ用識別子の再設定を行うようにすることができる。または画像表示装置ごとに乱数や確率に従ってそれぞれで再設定要否の判断を行うようにしても良い。
【００２５】
図３に本実施形態に係る画像送信装置１０２のブロック構成図の一例を示す。
図３には、データ送受信部３０１、画像生成部３０２、識別子情報受信部３０３、識別子情報保存部３０４、装置リスト表示部３０５が示されている。
【００２６】
データ送受信部３０１は、ネットワーク１０３を介してネットワーク上の他の通信装置と通信する機能を有する。
【００２７】
画像生成部３０２は、データ送受信部３０１を介して画像表示装置１０１に対して表示すべき画像情報を生成する機能を有する。生成する画像はたとえばPCやPDAの画面を画像として画像表示装置１０１に転送するようにしても良いし、仮想スクリーンといった仮想画面を画像情報としても良い。または画像送信装置１０２内に記憶している画像ファイルを元に表示すべき画像情報を生成するようにしても良い。送信先の画像表示装置１０１の属性に従って画像情報の生成方法を変えるようにすることもできる。たとえば画像表示装置１０１が備える画像情報の記憶容量が少ない場合には、より小さなサイズとなるように
画像情報を生成して送信することもできる。あるいは画像表示装置１０１ごとに接続されたネットワーク１０３が異なる場合、それぞれのネットワークの伝送能力に適した画像情報サイズとなるようにすることができる。
【００２８】
識別子情報受信部３０３は、データ送受信部３０１が受信した識別子を含むパケットから、このパケットを送信した送信元の通信用識別子とユーザ用識別子とを抽出する。抽出した通信用識別子とユーザ用識別子は、これを１つの画像表示装置１０１の識別子情報として保存するために識別子情報保存部３０４に受け渡す。
【００２９】
このとき識別子情報受信部３０３は識別子情報保存部３０４に保存された他の画像表示装置１０１の識別子情報と、保存のために先に抽出した識別子情報との重複を検査する。通信用識別子が異なるもののユーザ用識別子が同じものがあったときは、ユーザ用識別子が重複しているものとして重複通知を生成する。生成した重複通知はデータ送受信部３０１を介して他の画像表示装置１０１に送信される。
【００３０】
識別子情報保存部３０４は、識別子情報受信部３０３から受け取った識別子情報を保存する機能を有する。すでに同一の識別子情報が保存済みであった場合は新たに識別子情報を保存することはしない。ただし、通信用識別子が同一でユーザ用識別子が異なる識別子情報であった場合は、新たに受け取った識別子情報をその通信用識別子をもつ画像表示装置１０１の識別子情報として保存する。
【００３１】
装置リスト表示部３０５は、識別子情報保存部３０４に保存された画像表示装置１０１をリストとして表示する機能を有する。各画像表示装置１０１の表示の方法は、各識別子情報に含まれるユーザ用識別子に準じた表示がなされる。たとえばユーザ用識別子が色彩の“赤”とされた画像表示装置１０１に相当する表示を赤色で表したり、図形の場合は該当する画像表示装置１０１に相当する表示の近傍に“まる”を表示するなどして、それぞれの画像表示装置１０１と付与されたユーザ用識別子との関係がわかりやすいように表示される。利用者は装置リスト表示部３０５に表示されたリストから画像を表示させたい画像表示装置１０１を選択する。選択した画像表示装置１０１の情報は、画像生成部３０２に通知される。
【００３２】
図４は本実施形態に係る画像表示装置の立ち上げ時における処理フローの一例を示す図である。
【００３３】
まず通信用識別子設定部２０４によって自身の通信用識別子が設定される（ステップ４０１）。つぎにユーザ用識別子設定部２０５によって自身のユーザ用識別子が設定される（ステップ４０２）。ユーザ用識別子は起動時ごとに新たに生成しても良いし、前回使用したものを記憶している場合には、前回と同じユーザ用識別子を採用しても良い。ここで設定されたユーザ用識別子はユーザ用識別情報画像生成部２０６へと送られ画像表示部２０３に表示可能な形式の画像が生成されて、画像表示部２０３に表示される（ステップ４０３）。ここでのユーザ用識別子情報が色彩で示されていたときの表示の一例として、図７（ａ）のような方法が考えられる。これは画像表示装置１０１がプロジェクタの場合で、設置されたスクリーンに画像を投影している例を示している。ある画像表示装置１０１が投影しているスクリーン内の表示領域７０１に“赤（斜線でハッチング）”が投影されている。つまりこの画像表示装置１０１はユーザ用識別子として色彩の“赤”が振られていることを意味する。
【００３４】
次に通信用識別子設定部２０４によって設定された通信用識別子と、ユーザ用識別子設定部２０５によって設定されたユーザ用識別子を、ネットワーク１０３上の他の通信装置に対して送信する（ステップ４０４）。これは自身の識別子情報の通知と、識別子が重複
していないかどうかの確認のために行われる。このときの送信は、送信先が明らかでないためブロードキャストで送信される。
【００３５】
識別子情報を送信後、自身の識別子情報と他の画像表示装置１０１の識別子情報との間で重複があるかどうかを通知する重複通知を待つ（ステップ４０５）。ここで画像送信装置１０２より、他の画像表示装置１０１と識別子情報が重複している旨の重複通知があると（ステップ４０６）、再びユーザ用識別子を設定しなおして一連の動作を繰り返す。
【００３６】
所定時間待っても重複通知がない場合は識別子情報に重複が無いものと判断して現在の識別子情報を採用し（ステップ４０６）、画像送信装置１０２から画像情報の送信があった場合には画像情報を受信し（ステップ４０７）表示する（ステップ４０８）。
【００３７】
図４に示した処理フローは一例であり、たとえば識別子情報が重複しているかどうかを判断するまえに、各識別子の設定後すぐに画像情報を受信して表示を行うようにしても構わない。表示をしている場合であっても、重複が判明した段階で重複を解消するようにしても良い。
【００３８】
図５は本実施形態に係る画像送信装置の立ち上げ時における処理フローの一例を示す図である。
【００３９】
画像表示装置１０１が送信する識別子情報を受信すると（ステップ５０１）、受信した識別子情報を識別子情報保存部３０４に保存する（ステップ５０２）。このときすでに保存済みの識別子情報と同じものであったときは保存しない。通信用識別子が同一でユーザ用識別子が異なる識別子情報であったときは、この通信用識別子を持つ画像表示装置１０１に付与されたユーザ用識別子が変更されたと判断して、保存済みの内容を新たに受信した識別子情報の内容に変更する。
【００４０】
識別子情報受信部３０３において、受信した識別子情報の通信用識別子が異なるにも関わらずユーザ用識別子が同一のものがすでに識別子情報保存部３０４に保存されていたときはユーザ用識別子が重複していると判断し（ステップ５０３）、ユーザ用識別子が重複している少なくともどちらかの画像表示装置１０１に対してユーザ用識別子が重複している旨の重複通知を送信する（ステップ５０４）。送信後、ユーザ用識別子の重複が解消されたかどうかを判断するために、再び識別子情報の受信を試みる。
【００４１】
ステップ５０３においていずれの画像表示装置１０１でもユーザ用識別子が重複していないと判断されると、装置リスト表示部３０５は識別子情報保存部３０４に保存された識別子情報を元に装置リストを作成して表示する（ステップ５０５）。表示は画像送信装置１０２が備える表示装置上に表示される。
【００４２】
このとき図６に示す本実施形態の画像表示システムに係る配置図の一例に示すように、画像表示装置１０１となり得るプロジェクタ-A６０４、プロジェクタ-B６０５、大画面TV６０６と、画像送信装置１０２となり得るノートPC-A６０１、ノートPC-B６０２、PDA６０３があるとする。ノートPC-A６０１にとって、上記した画像表示装置１０１の３台すべてと通信が行え、かつ表示が可能な場合、いずれの画像表示装置に送信したらよいかを指定できなければならない。
【００４３】
画像送信装置１０２の１つであるノートPC-A６０１が備える画面装置上の画面表示の一例を、図７（ｂ）に示す。表示された装置リストには通信用識別子-A、通信用識別子-B、通信用識別子-Cが送信先として選択可能に表示されている。通信用識別子-A,B,Cはそれぞれプロジェクタ-A６０４、プロジェクタ-B６０５、大画面TV６０６を示すが、通信用識別
子は数字や文字の羅列であるから利用者にとってはどれがどの画像表示装置を指すのかが分かり難い。そこでたとえば装置リストの近傍に、各画像表示装置を示す色彩を付す。図７（ｂ）では装置リストの左側に付した模様がそれぞれ上から“赤”、“青”、“黄”に相当するとする。図６のプロジェクタ-A６０４の投影する画像が図７（ａ）に示したような表示であったとすると、表示領域７０１の色彩は“赤”ということになる。よって図７（ａ）のような表示をしているプロジェクタを送信先に指定するには、図７（ｂ）における通信用識別子-Aを選択すればよいことになる。他の画像表示装置の場合も、本実施形態に係る画像表示装置であればいずれかの色彩を含む画像を表示しているので、ノートPC-A６０１に表示された装置リストから表示先として指定したい色彩が当てられた通信用識別子を選択すればよい。
【００４４】
図７（a）、（ｂ）の表示はあくまで一例であり、たとえば通信用識別子-A,B,C自体それぞれを指定の色彩で表示する方法でも良い。あるいは表示可能な文字列や記号をユーザ用識別子として採用したときは、図７（ｂ）に示したような通信用識別子-A,B,Cの表示それ自体をユーザ用識別子に置き換えて表示するようにしても良い。送信先となる画像表示装置１０１の通信識別子が、間接的にでも通信用識別子-A,B,Cのいずれかであるかが特定できる方法であれば適用可能である。
【００４５】
上記のように、利用者は装置リスト表示部３０５に表示された画像表示装置１０１の中から少なくとも１つの装置を選択し（ステップ５０６）、送信する表示すべき画像情報を生成する（ステップ５０７）。生成後、ステップ５０６で選択した画像表示装置１０１に対して、生成した画像情報を送信する（ステップ５０８）。
【００４６】
図５に示した処理フローは一例であり、たとえばユーザ用識別子が重複するものについては一時的に表示せず、重複が解消した後に装置リストに表示されるようにしても良い。
【００４７】
図８に本実施形態に係る画像表示システムの、図６とは異なる配置図の一例を示す。図６に示した配置図との違いは隔壁８０１によってプロジェクタ-A６０４がプロジェクタ-B６０５や大画面TV６０６と通信できない点である。このとき、画像表示装置１０１が備えたユーザ用識別子重複検出部２０７による図４に示したステップ４０４、４０５、４０６の一連のユーザ用識別子重複検出が働かず、通信できない他の画像表示装置１０１と同一のユーザ用識別子を設定してしまう可能性がある。ノートPC-A６０１はこの時点でプロジェクタ-A６０４、プロジェクタ-B６０５、大画面TV６０６すべてと通信可能な位置にあるため、装置リスト上には同一のユーザ用識別子を付与された画像表示装置１０１が表示されたままになってしまう。同一のユーザ用識別子が解消されないため、ノートPC-A６０１の利用者は判別ができなくなってしまう。本実施形態に係る画像表示システムでは画像送信装置１０２が備える識別子情報受信部３０３の、図５に示したステップ５０３、５０４の処理により、重複したユーザ用識別子を持つ画像表示装置１０１と通信可能な画像送信装置１０２が重複を検出し重複通知を送信することでユーザ用識別子を解消することができる。よって本実施形態に係る画像表示システムでは、図８のような場合であってもユーザ用識別子の重複を自動的に解消することができる。
【００４８】
本実施形態のように各画像表示装置１０１が他の画像表示装置１０１が送信した識別子情報を取得し、ユーザ用識別子が重複しないように構成することで自動的にユーザ用識別子が重複して振られるのを防止し、かつユーザ用識別子による画像表示装置１０１の指定を行えるようにしたことで実際に表示される画像表示装置を指定しやすくなる。
【００４９】
（第１の実施形態の変形例）
本変形例は第１の実施形態に係る画像表示装置１０１の重複表示機能を付加したものである。
【００５０】
図９に本変形例に係る画像表示装置１０１のブロック構成図の一例を示す。本変形例では新たに重複情報画像生成部９０１が追加されている。
【００５１】
重複情報画像生成部９０１は、ユーザ用識別子重複検出部２０７がユーザ用識別子について重複していることを検出したことを受けて、画像表示部２０３を通じて利用者に当該画像表示装置１０１のユーザ用識別子が重複している旨を知らせる画像を生成する。生成する画像は文字であっても良いし、注意を喚起するような画像であっても良い。画像表示部２０３に表示する際は、画像情報を表示中であれば重ねて、あるいは別々に表示するようにしても良い。
【００５２】
本変形例のようにユーザ用識別子が重複していることが分かれば、重複しているユーザ用識別子が自動的に解消されるのを待つことができ、誤った画像表示装置１０１へ画像を表示してしまうなどの問題を避けることができる。
【００５３】
（第２の実施形態）
既述の第１の実施形態と同一の内容が多いので、本実施形態の説明は第１の実施形態と相違する部分について説明することとする。
【００５４】
本実施形態に係る画像表示システムの一例を示す図は、図１と同様のため省略する。
本実施形態に係る画像表示装置のブロック構成図の一例を示す図も、図２と同様のため省略する。
【００５５】
図１０に本実施形態に係る画像送信装置のブロック構成図の一例を示す。図３に示した第１の実施形態に係る画像送信装置のブロック構成図との違いは、ユーザ用識別子割当部１００１が新たに追加されている点である。
【００５６】
ユーザ用識別子割当部１００１は、ユーザ用識別子が未設定の画像表示装置１０１に対してユーザ用識別子を割り当てる機能を有する。識別子情報受信部３０３よりユーザ識別子が未設定の画像表示装置があることを通知されると、その装置に対してユーザ用識別子を生成して割り当てる。このとき識別子情報保存部３０４に保存済みの識別子情報に含まれるユーザ用識別子と重複しない識別子を生成すれば、それぞれの画像表示装置１０１に付与されるユーザ用識別子が重複する可能性を低くすることができる。割り当てたユーザ用識別子は、データ送受信部３０１を介してユーザ用識別子が未設定の画像表示装置１０１に、ユーザ用識別子設定要求として送信される。
【００５７】
図１１は本実施形態に係る画像表示装置の立ち上げ時における処理フローの一例を示す図である。
【００５８】
第１の実施形態の処理フローを示す図４と比べて、ステップ１１０１、１１０２、１１０３の各ステップが相違する。立ち上げ後通信用識別子の設定が終わると（ステップ４０１）、データ送受信部２０１はユーザ用識別子が未設定のまま通信用識別子とユーザ用識別子からなる識別子情報を送信する（ステップ１１０１）。このときの送信は、送信先が明らかでないためブロードキャストで送信される。この識別子情報を受信した画像送信装置１０２から、画像送信装置１０２が生成したユーザ用識別子と共にユーザ用識別子設定要求が送られてくるので受信する（ステップ１１０２）。これを受信した画像表示装置１０１のユーザ用識別子設定部２０５は、送られてきたユーザ用識別子を自身のユーザ用識別子として設定する（ステップ１１０３）。
【００５９】
割り当てられたユーザ用識別子に従ってステップ４０３〜４０５を行い、割り当てられ
たユーザ用識別子について重複通知があった場合は（ステップ４０６）、第１の実施形態のときと同様にユーザ用識別子設定部２０５がユーザ用識別子を生成する。
【００６０】
本実施形態に係る画像表示装置１０１では、少なくとも立ち上げ時においては自身ではユーザ用識別子を割り当てず、未設定の識別子情報を受信した画像送信装置１０２が割り当てたユーザ用識別子を用いる。
【００６１】
図１２は本実施形態に係る画像送信装置の立ち上げ時における処理フローの一例を示す図である。
【００６２】
第１の実施形態の処理フローを示す図５と比べて、ステップ１２０１、１２０２が追加されている。画像表示装置１０１が送信する識別子情報を受信すると（ステップ５０１）、識別子情報受信部３０３はこの受信した識別子情報に含まれるユーザ用識別子が未設定かどうかを判断する（ステップ１２０１）。ユーザ用識別子が未設定のときは、ユーザ用識別子割当部１００１は識別子情報保存部３０４に保存済みの識別子情報に含まれるユーザ用識別子と重複しないユーザ用識別子を生成し、データ送受信部３０１を介して未設定のユーザ用識別子を送信した画像表示装置１０１にユーザ用識別子設定要求として送信する（ステップ１２０２）。
【００６３】
本実施形態に係る画像送信装置１０２では、ユーザ用識別子が未設定であることを示す画像表示装置１０１があると、他の画像表示装置１０１と重複しないユーザ用識別子を割り当てるように機能する。
【００６４】
本実施形態のように画像送信装置１０２が各画像表示装置１０１のユーザ用識別子を考慮してユーザ用識別子を割り当てることで、立ち上げ時の画像表示装置１０１におけるユーザ用識別子が重複する確率を低減することができる。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６６】
【図１】第１の実施形態に係る画像表示システムの一例を示す図である。
【図２】第１の実施形態に係る画像表示装置のブロック構成図の一例を示す図である。
【図３】第１の実施形態に係る画像送信装置のブロック構成図の一例を示す図である。
【図４】第１の実施形態に係る画像表示装置の処理フローの一例を示す図である。
【図５】第１の実施形態に係る画像送信装置の処理フローの一例を示す図である。
【図６】第１の実施形態に係る画像表示システムの配置図の一例を示す図である。
【図７】第１の実施形態に係る画像表示システムの動作画面の一例を示す図である。
【図８】第１の実施形態に係る画像表示システムの配置図の一例を示す図である。
【図９】第１の実施形態の変形例に係る画像送信装置のブロック構成図の一例を示す図である。
【図１０】第２の実施形態に係る画像送信装置のブロック構成図の一例を示す図である。
【図１１】第２の実施形態に係る画像表示装置の処理フローの一例を示す図である。
【図１２】第２の実施形態に係る画像送信装置の処理フローの一例を示す図である。
【符号の説明】
【００６７】
１０１          画像表示装置
１０２          画像送信装置
２０１          データ送受信部
２０２          画像受信部
２０３          画像表示部
２０４          通信用識別子設定部
２０５          ユーザ用識別子設定部
２０６          ユーザ用識別情報画像生成部
２０７          ユーザ用識別子重複検出部
３０１          データ送受信部
３０２          画像製西部
３０３          識別子情報受信部
３０４          識別子情報保存部
３０５          装置リスト表示部
９０１          重複情報画像生成部
１００１        ユーザ用識別子割当部
【図１】
2005099351.tif 000003
【図２】
2005099351.tif 000004
【図３】
2005099351.tif 000005
【図４】
2005099351.tif 000006
【図５】
2005099351.tif 000007
【図６】
2005099351.tif 000008
【図７】
2005099351.tif 000009
【図８】
2005099351.tif 000010
【図９】
2005099351.tif 000011
【図１０】
2005099351.tif 000012
【図１１】
2005099351.tif 000013
【図１２】
2005099351.tif 000014